(57)【特許請求の範囲】
【請求項１】
データファイルへ保存するデータを入力する手段と、ＧＰＳからデータファイル名付与装置が存在する位置情報を取得する手段と、地名や施設名を予め定義した施設位置領域データを記録する手段と、ＧＰＳから取得した位置情報を施設位置領域データから場所を特定する検索手段と、検索した施設位置領域データへ予め定義された地名や施設名などの名称を連結してデータファイル名を付与する手段と、入力したデータを付与したファイル名で記録媒体へ保存する手段と、を備えるデータファイル名付与装置。
【請求項２】
前記ＧＰＳから取得した位置情報を施設位置領域データから場所を特定する検索手段は、ＧＰＳから取得した位置情報が、予め定義した施設位置領域に包含される入れ子状態を判定することを特徴とする請求項１記載のデータファイル名付与装置。
【請求項３】
前記ＧＰＳから取得した位置情報が、予め定義した施設位置領域に包含される施設位置領域の入れ子状態から、包含する領域の従属関係に従って、施設位置領域データへ定義された地名や施設名などの場所の名称を連結することで、データファイル名を付与する請求項１記載のデータファイル名付与装置。
【発明の詳細な説明】
【技術分野】
【０００１】
本発明は、データファイル名の付与装置であって、入力装置から入力したデータを保存するファイル名として、全地球測位網受信装置（以後ＧＰＳと記載する）から位置情報取得し、ＧＰＳから取得した位置情報を使用して、データを作成した位置の地名や施設名などの場所の名称をデータファイル名として付与するデータファイル名付与装置及び方法に関する。
【背景技術】
【０００２】
デジタルカメラやデジタルカメラを内臓したタブレットや携帯電話やノートパソコンなど、多くのデータファイルを管理する必要があるデジタル機器が普及している。しかし、画像データを保存しているファイル名は、連続番号を付与したり、画像データを作成した日付情報を付与することで、画像データにファイル名を与えて画像データを保存している。ファイル名と保存しているデータに地名や施設などの関連が無い為、付与したファイル名から保存したデータの記録内容を推測することが困難である。
【０００３】
広域の災害が発生した場合、被害状況をデジタルカメラで撮影した画像を地図上へ表示しているが、パーソナルコンピュータやインターネットが利用できる環境が維持されている状況とは限らない。画像データに付与されているファイル名から地名や施設名を特定することで、デジタルカメラが使用できる環境のみで、画像の撮影場所をファイル名から推測できるような、被害状況にあった判断を迅速に実施する環境が必要である。
【先行技術文献】
【特許文献】
【０００４】
【特許文献１】特開２０１２−０１５８９６号広報
【特許文献２】特開２００５−２０３９９４号広報
【特許文献３】特開平１１−２０３８４２号広報
【特許文献４】特許第５４５８４１１号広報
【特許文献５】特開２００９−９４７６９号広報
【発明の概要】
【発明が解決しようとする課題】
【０００５】
解決しようとする問題点は、例えば、デジタルカメラのような機器において、撮影した画像データは、撮影した画像の数だけ存在し、どこで撮影したかを判断するためには、ファイルの作成日時や画像を確認する必要があり、データファイルの管理に多くの時間を費やす作業となっている。画像データ以外でも、工事現場でノートパソコン等を使用して記録した文章や、気温や振動など、携帯できる測定機器のデータを保存するファイル名は、データの管理者が決定している。データを入力した地名や施設名などの場所の名称を使用して、統一したデータファイル名を付与することを目的としている。
【課題を解決するための手段】
【０００６】
本発明は、入力したデータを保存するファイル名として、ＧＰＳから受信した位置情報を使用して、データを入力した地名や施設名などの場所を特定し、特定した場所の名称を使用して、データファイル名を付与することを最も主要な特徴とする。
【発明の効果】
【０００７】
本発明のデータファイル名付与装置及び方法は、ＧＰＳから取得した位置情報から、コンピューター及びコンピューターを内臓した機器が使用された地名や施設名などの場所の名称を使用して、データファイル名を決定することで、付与されたデータファイル名によって、データの内容を推測でき、地名や施設などの場所の名称による分類ができる利点がある。多くのデータファイルが存在する場合、統一した名称によるデータファイル名を付与することで、作業効率を向上させ、データの管理作業時間を短縮できる。
【図面の簡単な説明】
【０００８】
【図１】図１はデータファイル名付与装置の構成を示した説明図である。（実施例１）
【図２】図２は施設位置領域データ構造を示した説明図である。（実施例１）
【図３】図３は施設位置領域データの定義例を示した説明図である。（実施例１）
【図４】図４は有効領域を平面座標へ展開した構造を示した説明図である。（実施例１）
【図５】図５は施設位置領域データを検索してＧＰＳから取得した位置を決定する方法を示した説明図である。（実施例１）
【図６】図６はデータファイル名付与プロセスを示した説明図である。（実施例１）
【図７】図７はデジタルカメラへ適用したデータファイル名付与装置の構成を示した説明図である。（実施例２）
【図８】図８は多角形で定義する有効領域データの構造を示した説明図である。（実施例２）
【図９】図９は多角形で定義した有効領域データを平面へ展開した構造を示した説明図である。（実施例２）
【図１０】図１０はＧＰＳから取得した位置が多角形で定義された施設位置領域に含まれるかを判断する方法を示した説明図である。（実施例２）
【発明を実施するための形態】
【０００９】
データファイル名付与装置は、ＧＰＳから取得した位置情報から、データファイル名付与装置が存在する地名や施設などの場所の名称を使用して、入力したデータを保存するデータファイル名を付与することを実現した。
【実施例１】
【００１０】
本発明は、例えば図１に示すような「データファイル名付与装置１」に適用される。「データファイル名付与装置１」は、データを入力するための「データ入力部２」とＧＰＳなどから、「データファイル名付与装置１」が存在する位置情報である緯度・経度を取得する「位置情報取得部３」と、地名や施設名が位置する場所の領域を定義した緯度・経度が予め定義されている「施設位置領域データ記録部５」と、「位置情報取得部３」から取得した位置情報である緯度・経度が「施設位置領域データ記録部５」で定義されているどの領域に含まれるかを検索する「施設位置領域データ検索部４」と、「データ入力部２」から入力したデータを保存する「記録媒体７」と、「施設位置領域データ検索部４」で検索した領域に割り当てられている名称を使用して、「データ入力部２」から入力したデータを「記録媒体７」へ保存するデータファイル名を決定しデータ保存を実施する「データファイル名付与部６」から構成される。
【００１１】
図１の「データ入力部２」は、例えばディジタルカメラのＣＣＤイメージセンサー等の入力装置である。また、音を入力するためのデジタル録音装置であってもよい。コンピューターを操作してデータを取得するために使用するキーボードやマウス等のポインティングデバイスからなる入力装置であってもよく、入力するデータに対応し、入力したデータを図１の「施設位置領域データ検索部４」へ出力できる装置であれば広く適用される。
【００１２】
図１の「位置情報取得部３」は、「データファイル名付与装置１」が存在する場所の緯度・経度の数値データで構成される位置情報を取得するためのＧＰＳ装置である。または、「位置情報取得部３」は、位置情報を出力する装置や外部装置の記録媒体に格納されたデータファイルであってもよい。位置情報を出力する装置として、特定の場所に設置されている機器から、ＧＰＳを介さずに、設置されている装置の記憶媒体に記録してある位置情報を「施設位置領域データ検索部４」へ出力できる機能を有していればどのような装置であってもよい。
【００１３】
「施設位置領域データ記録部５」は、図２で示される施設位置領域データを予め定義した施設位置領域データである。図１の「施設位置領域データ記録部５」は、インターネットで接続されているサーバーから施設位置領域データを取得してもよく、「施設位置領域データ検索部４」が施設位置領域データを参照できる状態であれば、どのような形態をとってもよい。図２は、施設位置領域データが１つの場所を定義するための構造を示している。図２のＲ１は、「有効領域の接続情報」として、領域の包含状況を示す入れ子の深さを示したゼロを含む正の整数を定義する。入れ子の深さＲ１＝０の場合、最上位の領域であることを示し、他の領域に属さないことを示している。Ｒ１＝ｎ（ｎ＞０）の場合は、（ｎ−１）の入れ子の深さを持つ領域に含まれる領域であることを示している。
【００１４】
図２のＲ２は、施設位置領域データが示す地名や施設名などの場所が存在する経度を定義し、Ｒ３は場所の緯度を定義する。実施例１では、図２のＲ４は、Ｘ軸が経度でＹ軸が緯度のＸＹ平面において、座標点（Ｒ２,Ｒ３）を中心座標とした円の半径を定義し、円の外接矩形で示される領域を施設位置領域と定義する。施設位置領域データが示す地名や施設名などの場所は、Ｒ２とＲ３とＲ４とで定義された施設位置領域内に存在していることを示している。有効領域データは、複数の座標点を定義して、多角形による有効領域を定義してもよい。図２のＲ５は、Ｒ２とＲ３とＲ４で定義された施設位置領域に存在する地名や施設名などの場所に対応する名称を定義する。図２のＲ６は、初期値として０の整数を定義し、Ｒ５の名称をデータファイル名として使用して、図１の「記憶媒体７」へ保存した数を示す。
【００１５】
図３は、図２の施設位置領域データの定義例であり、図１の「施設位置領域データ記録部５」へ予め定義した施設位置領域データを示している。図３の施設位置領域データは、横１行で１つの施設位置領域データを示している。図３では、Ｄ１〜Ｄ９の９個の施設位置領域データを定義している状態を示している。施設位置領域データは、Ｄ１とＤ２とＤ３とＤ４とＤ５とＤ６とＤ７とＤ８とＤ９と、の順番に定義され、定義した順番にデータを参照する。図３のＲ１〜Ｒ６は、縦の項目が図２の「施設位置領域データ構造」のＲ１〜Ｒ６へ対応している。
【００１６】
図３のＲ１は、Ｒ２とＲ３とＲ４とで定義された施設位置領域の包含状態を示す入れ子の深さが定義されている。Ｒ２〜Ｒ６は、明確な説明を記載するために記号を使用しているが、実際は、図２で示された情報を定義する数値や文字列によって定義するものである。施設位置領域データＤ１は、経度がＫＤ１で緯度がＩＤ１で示される座標を中心座標とし、半径ＣＲ１の円の外接矩形で定義される領域をＰＮ１の名称を持つ場所である施設位置領域を示している。
【００１７】
図３の施設位置領域データのＲ４へ定義されている半径は、
ＣＲ１＞ＣＲ２＞ＣＲ３＞ＣＲ４、
ＣＲ５＞ＣＲ６＞ＣＲ７＞ＣＲ８＞ＣＲ９
の大小関係として定義されているのもとする。
【００１８】
図４は、図３で定義された施設位置領域データをＸ軸が経度でＹ軸が緯度のＸＹ平面へ展開した状態を示す。図４のＤ３の矩形領域の斜線部分は、Ｄ２の矩形領域外に存在する。Ｃ３は、Ｄ３の中心座標（ＫＤ３,ＩＤ３）を示している。このような領域データが存在する場合は、Ｃ３がＤ２の矩形領域内に存在するため、Ｄ３はＤ２の領域内であると定義する。図３のＲ１へ定義されている入れ子の深さは、上記の状態を示し、Ｄ２の入れ子の深が１、Ｄ３の入れ子の深さが２と定義され、Ｄ３の有効領域はＤ２の有効領域内に存在していることを示している。
【００１９】
図５は、図３で定義された施設位置領域データＤ１〜Ｄ９と、図１の「位置情報取得部３」から緯度・経度の位置情報ＧＰ１を取得し、Ｘ軸が経度でＹ軸が緯度のＸＹ平面へ展開した状態を示している。ＧＰ１の経度をＰＸ、ＧＰ１の緯度をＰＹとする。
【００２０】
図１の「施設位置領域データ検索部４」は、「位置情報取得部３」から取得した位置ＧＰ１が、予め定義されている図３の施設位置領域データどの領域に含まれるかを検索する。図３で定義されている領域の大きさや位置は図５に示されている。
【００２１】
図５の位置ＧＰ１は、
（ＫＤ１−ＣＲ１）≦ＰＸ≦（ＫＤ１＋ＣＲ１）かつ
（ＩＤ１−ＣＲ１）≦ＰＹ≦（ＩＤ１＋ＣＲ１）
の条件を満たしていればＤ１の領域内にＧＰ１が存在すると判断できる。上記の判断をＤ１〜Ｄ９の施設位置領域データに対し実施する。
【００２２】
位置ＧＰ１が施設位置領域データＤ５の領域外であると判断した場合、図３の入れ子の深さからＤ６〜Ｄ９は、Ｄ５の施設位置領域に存在することが判っているので、Ｄ６〜Ｄ９の施設位置領域データについて位置ＧＰ１が領域内に存在するかを判断する必要がない。このことから、入れ子の深さを考慮することで高速に施設位置領域データで定義された施設位置領域に存在するかを判断することができる。
【００２３】
位置ＧＰ１は、Ｄ３とＤ４の施設位置領域に存在するが、入れ子の深さが共に２で同一値となっている。この場合、施設位置領域の面積が小さい領域をＧＰ１が存在する領域と判断する。「有効領域データＲ４」は、円の半径が定義されているので、半径の小さいものが施設位置領域の面積が小さいので、ＣＲ３＞ＣＲ４の条件から、Ｄ４がＧＰ１が存在する施設位置領域と決定できる。従って、位置ＧＰ１は、Ｄ１とＤ２とＤ４との施設位置領域に存在していると判断できる。もし、ＣＲ３とＣＲ４が同一値である場合は、施設位置領域の中心座標とＧＰ１との距離が近い領域をＧＰ１が包含される領域と判断する。前記中心までの距離が同一値である場合は、条件を満たしている最後に定義されている領域Ｄ４をＧＰ１が包含される領域と判断する。前記の判断をＤ１からＤ９の施設位置領域データに対し実施すると、図５の定義例では、前記判断をＤ１〜Ｄ９の施設位置領域に対して実施すると、位置ＧＰ１は、施設位置領域データＤ１とＤ２とＤ３とＤ４の領域内に存在し、施設位置領域データＤ５とＤ６とＤ７とＤ８とＤ９と、の領域外にあることが判断できる。
【００２４】
図１の「施設位置領域データ検索部４」は、図５の位置ＧＰ１が含まれる施設位置領域の有効領域データより、ＣＲ１＞ＣＲ２＞ＣＲ３＞ＣＲ４の条件から、入れ子の深さの数値が最大であるＤ４の「ファイル名を付与した数Ｒ６」であるＮＯ４の数字へ１を加算する。図３のＲ１へ定義されている入れ子の深さの値を小さい値から大きい値になるように昇順に並べ、施設領域データＤ１とＤ２とＤ４とに定義されている地名や施設名などの場所に対応する名称から、位置ＧＰ１に対応する場所の名称として、ＰＮ１とＰＮ２とＰＮ４とＮＯ４の文字列と、図１の「入力部２」から入力したデータを図１の「データファイル名付与部６」へ出力する。
過去に検索した施設位置領域データが記憶メモリに存在する場合は、記憶メモリに保存してある施設位置領域にＧＰＳから取得した位置情報が包含されるかを前記方法で判断し、記憶メモリに保存してある施設位置領域内にＧＰＳから取得した位置ＧＰ１が包含される場合は、前記領域の包含状況を決定する施設位置領域データ検索を実施しないで、記憶メモリに保存してある施設領域位置領域をＧＰ１が包含される領域として適用し、入れ子の深さの数値が最大である施設領域データの図２のＲ６に該当する「ファイル名を付与した数」の数字へ１を加算する。記憶メモリに前回の施設領域データが保存されていない場合と、記憶メモリに保存してある施設位置領域内にＧＰＳから取得した位置情報が包含していない場合は、「施設位置領域データ検索部４」で検索した施設位置領域データとＰＮ１とＰＮ２とＰＮ４とＮＯ４とを記憶メモリへ保存しておき、次回ＧＰＳから取得した位置情報が検索した施設位置領域の内部にあるかの判断に使用する。
【００２５】
図１の「データファイル名付与部６」は、「施設位置領域データ検索部４」から入力したＰＮ１とＰＮ２とＰＮ４とＮＯ４の文字列と「データ入力部２」から入力したデータを取得する。図１の「記録媒体７」は、「データ入力部２」から入力したデータを保存する記録媒体である。「データファイル名付与部６」は、ＰＮ１とＰＮ２とＰＮ４とＮＯ４とを連結した文字列をファイル名とファイル識別子を付与して入力データを「記録媒体７」書込み保存する。ファイル識別子は、例えば、画像データである場合は、画像データを保存するデータ形式により、bmpやjpgなどのファイル識別子が決定される。ＰＮ１＝”JPN”、ＰＮ２＝”東京”、ＰＮ４＝”東京駅”、ＮＯ４＝１でファイル識別子＝”bmp”である場合は、「JPN東京東京駅0001.bmp」とする。名称の区別を明確にするため、例えば、下線文字「＿」のような区切り文字をＰＮ１とＰＮ２の間と、ＰＮ２とＰＮ４の間と、ＰＮ４とＮＯ４間に挿入することで、「JPN_東京_東京駅_0001.bmp」とファイル名を付与してもよい。
【００２６】
図６は、データファイル名付与プロセスを示した流れ図である。Ｓ１でデータを入力する。Ｓ２で入力操作が終了した場合は処理を停止する。Ｓ２で処理を終了しない場合、Ｓ３の処理を実施する。Ｓ３は、「ＧＰＳ１３」から位置情報を取得して、前回決定した施設位置領域に存在するかを判断する。Ｓ４で、「ＧＰＳ１３」から取得した位置情報が前回決定した施設位置領域内に存在する場合はＳ６の処理へ移る。前記処理で不必要な処理を省略し、処理の高速化を図る。「ＧＰＳ１３」から取得した位置情報が前回決定した施設位置領域内に存在しない場合は、Ｓ５の処理を実施する。Ｓ５で、「施設位置領データ１４」を検索し、「ＧＰＳ１３」から取得した位置情報が包含する領域を検索する。検索した結果をＳ６で記憶メモリへ保存しておく。Ｓ６に保存している施設位置領データのデータファイル名の保存数へ１を加算し「施設位置領データ１４」の該当する施設位置領域データのデータファイル名の保存数へ保存する。Ｓ６で保存した検索結果は、Ｓ３の前回決定した施設位置領域として使用する。Ｓ７は、Ｓ６で記憶メモリへ保存された施設位置領域の名称とデータファイル名の保存数を使用して、Ｓ１で入力したデータを保存するデータファイル名を付与し、「データファイル１５」の記憶媒体へ保存し、Ｓ１へ処理を戻す。
【実施例２】
【００２７】
図７は、「デジタルカメラへ適用したデータファイル名付与装置１６」の実施例である。実施例１の入力部として、「デジタルカメラ１７」を適用している。実施例２は、図２の「有効領域データ」であるＲ４へ多角形の頂点座標を定義した実施例を示す。
【００２８】
図７の「デジタルカメラ１７」は、デジタルカメラで撮影したデジタル画像データを「施設位置領域データ検索部１９」へ出力する。「位置情報取得部１８」は、「デジタルカメラへ適用したデータファイル名付与装置１６」が存在する場所の緯度・経度の数値データを取得するためのＧＰＳである。
【００２９】
「施設位置領域データ記録部２０」は、図２で示される施設位置領域データを予め定義した施設位置領域データである。実施例２における図２のＲ１は、実施例１と同様に、入れ子の深さを整数で定義する。Ｒ２は、施設位置領域の中心となる経度であり、Ｒ３は施設位置領域の中心となる緯度である。Ｒ４は、施設位置領域の輪郭を定義する多角形の頂点数と頂点座標が定義された複数の数値データで構成する。
【００３０】
図８は、図２の「有効領域データ」であるＲ４へ、多角形の頂点数と頂点座標を定義する構造を示している。図８のＷは、施設位置領域をＸ軸が経度でＹ軸が緯度のＸＹ平面へ展開した状態で、施設位置領域の幅を示し、Ｈは施設位置領域の高さを示している。ＡＮは、施設位置領域として定義する多角形の頂点数を定義する。施設位置領域として定義する多角形の頂点数をｎとすると、ＡＫ１は多角形の一番目の経度を示し、ＡＤ１は多角形の一番目の緯度を示している。ＡＫｎは多角形のｎ番目の経度を示し、ＡＤｎは多角形のｎ番目の緯度を示している。Ｒ５とＲ６は実施例１と同様に、Ｒ５へ地名や施設名などの場所の名称を定義し、Ｒ６へ初期値としてゼロを定義する。
【００３１】
図９は、図８の有効領域データの構造で、ＡＮ＝６と定義し、６個の頂点を定義した多角形を、Ｘ軸が経度でＹ軸が緯度のＸＹ平面へ展開した頂点数が６の多角形を示している。多角形の頂点は、Ｐ１とＰ２とＰ３とＰ４とＰ５とＰ６で、括弧内は、Ｐ１〜Ｐ６の経度・緯度を示し、黒丸は頂点の位置を示している。
【００３２】
図９のＧＰ１は、図７の「位置情報取得部１８」から出力された「デジタルカメラへ適用したデータファイル名付与装置１６」の位置情報である緯度・経度の位置を示している。ＧＰ１の経度をＧＫ１,緯度をＧＤ１であることを示している。
【００３３】
図１０は図９で示したＧＰ１が多角形で定義した領域内に存在するかを判断する方法を示している。ＧＰ１を通りＸ軸に平行な直線Ｌ１と多角形を構成する頂点を結んだ直線との交点を計算する。図１０の例では、直線Ｐ１−Ｐ２と、直線Ｐ２−Ｐ３と、直線Ｐ３−Ｐ４と、直線Ｐ４−Ｐ５と、直線Ｐ５−Ｐ６と、直線Ｐ６−Ｐ１の６直線と直線Ｌ１との交点を計算する。２点を通る直線の方程式と、Ｘ軸に平行な１点を通る直線の方程式の連立方程式を解くことで交点座標を計算できる。この計算は幾何学計算の基礎的な計算方法であるので、詳細な記載は省略する。
【００３４】
図１０のＫ１とＫ２とＫ３とＫ４とは、ＧＰ１を通りＸ軸に平行な直線Ｌ１と多角形を構成する頂点を結んだ直線との交点示し、内部が白い外郭線のみの丸はＫ１〜Ｋ４の位置を示している。ＧＰ１のＸ座標と交点のＸ座標から、図１０の交点は、ＧＰ１のＸ座標であるＧＫ１よりも小さいＸ座標を持つ交点は、Ｋ１、Ｋ２、Ｋ３の３箇所であり、ＧＫ１よりも大きいＸ座標を持つ交点は、Ｋ４の１箇所である。点ＧＰ１の両端に交点が１つ以上あり、ＧＰ１のＸ座標であるＧＫ１よりも小さい交点の数が奇数であり、または、ＧＫ１よりも大きいＸ座標を持つ交点の数が奇数である場合は、点ＧＰ１は多角形の内部に存在し、上記以外の条件では、点ＧＰ１は多角形の外部に存在する。頂点を通過する場合でも、頂点は多角形の２つの直線の始点または終点であるため、交点は２つあるとすると点ＧＰ１が多角形の内部にあると判断できる。多角形の辺が、Ｌ１と同じ傾きを持ち（Ｌ１と平行線）、Ｌ１と重なっている場合は、多角形の辺の始点と終点を交点とすることで上記内包する条件が成立する。ＧＰ１を通り、Ｙ軸に平行な直線と多角形との交点計算を実施しても同じ結果を得ることができる。前記多角形内に点が包含される判断方法は幾何学では既知の方法である。
【００３５】
図８のＷ、Ｈを使用して、ＧＰ１が図２で示される経度・緯度（Ｒ２,Ｒ３）を中心座標とし、Ｘ軸方向の幅がＷで、Ｙ軸方向の高さがＨである矩形領域内にＧＰ１が包含されるかを判断する。矩形の中心座標が既知で、幅と高さが既知の矩形内にＧＰ１が存在するの判断は、矩形の頂点座標を矩形の中心座標と幅Ｗと高さＨから計算できる。矩形の頂点のＸ座標とＹ座標の最大値と最小値を求め、ＧＰ１のＸ座標が矩形頂点のＸ座標の最小値とＸ座標の最大値の範囲内であり、ＧＰ１のＹ座標が矩形頂点のＹ座標の最小値とＹ座標の最大値の範囲内であればＧＰ１は前記矩形の領域内に包含されると判断できる。従って、（Ｒ２,Ｒ３）を中心座標とし、Ｘ軸方向の幅がＷで、Ｙ軸方向の高さがＨである矩形領域内にＧＰ１が包含される条件は、
（多角形を構成する頂点のＸ座標の最小値）≦ＧＫ１≦（多角形を構成する頂点のＸ座標の最大値）かつ
（多角形を構成する頂点のＹ座標の最小値）≦ＧＤ１≦（多角形を構成する頂点のＹ座標の最大値）
で示すことができる。前記矩形領域内に包含される場合のみ、上記多角形の辺との交点計算を実施することで、必要のない計算を避けることができる。
【００３６】
多角形により定義された施設位置領域は、領域の輪郭を定義するのもである。このことから、多角形の領域は、入れ子の深さの数値が最大のものが、ＧＰ１が包含される領域であると判断できる。
【００３７】
図８の頂点数ｎのＡＮにゼロを定義し、有効領域の幅のＷへ有効領域の半径を定義することで、円の外接矩形を施設位置領域として定義する。このことから、多角形と円の外接矩形の領域を混在させて定義することができるので、施設位置領域の定義を少ないデータ量で定義でき、複雑な地形の輪郭は多角形により定義することができる為、正確な地名や施設の場所を定義することができる。同じ入れ子の深さを持ち、円の外接矩形と多角形により定義された施設位置領域が重なる場合は、多角形で定義された領域は、場所の輪郭を定義しているので、多角形で定義された施設位置領域をＧＰ１が包含される領域であると判断できる。ＧＰ１が包含される領域を「実施例１」で示した方法によって、位置ＧＰ１に対応する場所の名称として包含条件を満たす施設位置領域データの地名や施設名などの場所に対応する名称を連結した文字列と、デジタルカメラから入力した画像データを図７の「データファイル名付与部２１」へ出力する。
【００３８】
図７の「データファイル名付与部２１」は、図１の「データファイル名付与部６」と同じであり、図７の「記録媒体２２」は、図１の「記録媒体７」と同じである。「実施例１」の方法により、画像データを「記録媒体２２」へ保存するデータファイル名を付与することができる。
【産業上の利用可能性】
【００３９】
データファイル名に地名や施設名が付与されているので、土木工事に使用される写真データの管理がファイル名によって行うことができる。デジタルカメラやスマートフォンやタブレットなどにより写真撮影が可能である機種が多く存在する為、写真撮影者がファイル名のみによって写真を撮影した場所を特定することができる。温度や振動などの測定装置は、データ測定した記録データに測定位置を記録しているが、保存するファイル名は、測定者が決定している。データファイルを管理する上で、場所や施設名が付与されたデータファイル名を的に付与することで、測定者が異なった場合においても同じ方法でファイル名を決定できるので、統一されたデータファイル名となり管理が容易になる。広域の災害が発生した場合、被害状況をデジタルカメラで撮影した画像を地図上へ表示しているが、パーソナルコンピュータやインターネットが利用できる環境が維持されている状況とは限らない。画像データに付与されているファイル名から地名や施設名を特定することで、デジタルカメラが使用できる環境であれば、画像の撮影場所をファイル名から推測することで、被害状況にあった判断を迅速に実施することが可能となる。
【符号の説明】
【００４０】
１    データファイル名付与装置
２    データ入力部
３    位置情報取得部
４    施設位置領域データ検索部
５    施設位置領域データ記録部
６    データファイル名付与部
７    記録媒体
８    施設位置領域データ構造
９    施設位置領域データをデータ定義例
１０    有効領域を平面座標へ展開した構造
１１    施設位置領域データを検索してＧＰＳから取得した位置を決定する方法
１２    データファイル名付与プロセス
１３    位置情報を取得するＧＰＳ
１４    予め定義した施設位置領域データ
１５    入力したデータを保存する記録媒体
１６    デジタルカメラへ適用したデータファイル名付与装置
１７    デジタルカメラ
１８    デジタルカメラへ適用したデータファイル名付与装置の位置情報取得部
１９    デジタルカメラへ適用したデータファイル名付与装置の施設位置領域データ検索部
２０    デジタルカメラへ適用したデータファイル名付与装置の施設位置領域データ記録部
２１    デジタルカメラへ適用したデータファイル名付与装置のデータファイル名付与部
２２    デジタルカメラへ適用したデータファイル名付与装置の記録媒体
２３    多角形で定義する有効領域データの構造
２４    多角形で定義した有効領域データを平面へ展開した構造
２５    ＧＰＳから取得した位置が多角形で定義された施設位置領域に含まれるかを判断する方法
【図１】
0006569887.tif 000002
【図２】
0006569887.tif 000003
【図３】
0006569887.tif 000004
【図４】
0006569887.tif 000005
【図５】
0006569887.tif 000006
【図６】
0006569887.tif 000007
【図７】
0006569887.tif 000008
【図８】
0006569887.tif 000009
【図９】
0006569887.tif 000010
【図１０】
0006569887.tif 000011